(57)【特許請求の範囲】
【請求項１】
吸込口本体と、この吸込口本体の前面及び側面に外周に突出して形成されたバンパー部と、前記吸込口本体の前面に前記バンパー部の下方に位置して形成された吸込開口と、前記吸込口本体の側面に前記バンパー部の下方に位置して外周に突出する突出部とを備えた吸込口体において、
前記突出部は、起毛部材によって形成されると共に前記吸込口本体の底面にまで延在され、前記バンパー部の側面が壁面に当接した際に該壁面と前記吸込口本体との間に形成される側部風路の後部を閉塞することを特徴とする吸込口体。
【請求項２】
請求項１に記載の吸込口体を有することを特徴とする電気掃除機。
【発明の詳細な説明】
【０００１】
【発明の属する技術分野】
この発明は、前面及び側面にバンパー部が形成され、バンパー部下方の前面に吸込開口が形成された吸込口体とこれを有する電気掃除機に関するものである。
【０００２】
【従来技術】
従来から、図７に示すような電気掃除機１が知られている。この電気掃除機１は掃除機本体２を有している。掃除機本体２の前側内部には紙パックフィルタ等の集塵袋３ａを配設した集塵室３が形成され、掃除機本体２の後側内部には集塵室３に連通して吸込負圧を作用させる電動送風機４が配設されている。そして、掃除機本体２の前部に形成されて、集塵室３に連通した接続口２ａには吸込ホース５が着脱自在に接続されている。さらに、この吸込ホース５には先端に設けられた手元操作管５ａ及び、延長管６、７を介して吸込口体１０が連通されている。
【０００３】
この吸込口体１０は、図８及び図９に示すように、吸込口本体１１を有し、その吸込口本体１１の前面１１ａ及び両側面１１ｂ、１１ｂにはバンパー部１２が設けられている。ここで、吸込口本体１１の前面１１ａと両側面１１ｂ、１１ｂとはほぼ直交している。また、吸込口本体１１の前面１１ａのバンパー部１２の下側には吸込口本体１１の左右方向に延びた複数の吸込開口１３が形成されている。なお、この吸込口本体１１の底面には、図示しない吸込口が形成されていると共に、複数の車輪１６が設けられている。この車輪１６は、吸込口本体１１の底面と被清掃面Ｇとの間に僅かな間隙を開けて吸込口本体１１を支持している。
【０００４】
バンパー部１２は吸込口本体１１の上下方向の中間部から外周に突出して設けられ、吸込口本体１１の前面１１ａから両側面１１ｂ、１１ｂに一体に延在されている。
【０００５】
かかる吸込口体１０が接続された電気掃除機１では、電気掃除機本体２に内蔵された電動送風機４の駆動により集塵室３、吸込ホース５、延長管５、６を介して吸込口本体１１の内側に吸込負圧が作用する。底面に吸込口が形成された吸込口本体１１の内側に作用した吸込負圧は吸込開口１３を介して吸込口体１０の前方にも作用し、底面の吸込口からだけでなく吸込開口１３からも被清掃面Ｇ上の塵埃をエアと共に吸い込む。そして、手元操作管５ａを操作して吸込口体１０を被清掃面Ｇ上で移動させることにより被清掃面Ｇを清掃していく。
【０００６】
このとき、図８に示すように、吸込口体１０を前進させて第一壁Ａに吸込口本体１１の前面１１ａが押し付けられると、バンパー部１２の前端部１２ａが第一壁Ａに接触する。このとき、吸込口本体１１の前面１１ａのうちバンパー部１２よりも下側の部分１１ａ´と、第一壁Ａとの間に間隙が生じ、前側風路１４が形成される。このとき、この前側風路１４はバンパー部１２の前端部１２ａに沿って形成されて吸込口本体１１の両側面１１ｂ、１１ｂにまで延びると共に、吸込開口１３に連通している。
【０００７】
また、図９に示すように、吸込口本体１１の一方の側面１１ｂが、第一壁Ａに直交する第二壁Ｂに押し付けられると、バンパー部１２の側端部１２ｂが第二壁Ｂに接触する。このとき、第二壁Ｂと吸込口本体１１の側面１１ｂのうちバンパー部１２よりも下側の部分１１ｂ´との間に間隙が生じ、側部風路１５が形成される。そして、この側部風路１５はバンパー部１２の側端部１２ｂに沿って形成されて、吸込口本体１１の前面１１ａにまで延びている。なお、この側部風路１５の後部は吸込口体１０の後方に開放して、外気に連通している。
【０００８】
さらに、吸込口本体１１の前面１１ａが第一壁Ａに押し付けられた状態で吸込口本体１１の一方の側面１１ｂが第二壁Ｂに押し付けられると、側部風路１５の前部は前側風路１４の側部と連通する。
【０００９】
【発明が解決しようとする課題】
しかしながら、上述の吸込口体１０では、特に被清掃面Ｇがじゅうたんである場合に、吸込口本体１１の底面に形成された車輪１６がじゅうたんに沈み込み、吸込口本体１１の底面とじゅうたんとの間に隙間がなくなって、吸込口本体１１の側面から直接底面の吸込口に連通する風路が閉塞されていた。
【００１０】
そして、吸込口本体１１の前面１１ａが第一壁Ａに押し付けられた状態で吸込口本体１１の一方の側面１１ｂが第二壁Ｂに押し付けられても、側部風路１５の後部が吸込口体１０の後方に開放して外気に連通しており、前側風路１４の側部と側部風路１５の前部とが連通している部位である吸込口本体１１の角部では吸込負圧が衰え、塵埃が吸い込まれにくくなるおそれがあった。さらに、このとき、前側風路１４を介して側部風路１５内に作用する吸込負圧が非常に弱く、側部風路１５内にある塵埃が前側風路１４側に吸い込まれることはほとんどなかった。そのため、第一壁Ａと第二壁Ｂとが接合した角部に蓄積した塵埃を吸い込むことが非常に困難であった。
【００１１】
また、吸込口本体１１の前面１１ａが第一壁Ａに押し付けられていない状態で吸込口本体１１の一方の側面１１ｂだけが第二壁Ｂに押し付けられている場合では、側部風路１５だけが形成された状態となっている。この側部風路１５には塵埃を吸い込む吸込開口１３が連通していないため、側部風路１５にある塵埃は吸い込まれずに第二壁Ｂ際に残りやすくなっていた。特に、車輪１６がじゅうたんに沈み込んだ場合には顕著であった。
【００１２】
さらに、この第二壁Ｂ際に残った塵埃を吸い込むために、吸込口本体１１の前面１１ａが第二壁Ｂに接するように吸込口体１０の向きを変えて、第二壁Ｂ際だけを清掃しなければならず、壁際の清掃に手間がかかっていた。
【００１３】
したがって、この発明は、壁際の塵埃を容易に吸い込むことができると共に、互いに直交する壁同士の角部に蓄積された塵埃も確実に除去することが可能な吸込口体と、その吸込口体を有する電気掃除機を提供することを目的としている。
【００１４】
【課題を解決するための手段】
上記目的を解決するために、請求項１に係る発明は、吸込口本体と、この吸込口本体の前面及び側面に外周に突出して形成されたバンパー部と、吸込口本体の前面にバンパー部の下方に位置して形成された吸込開口と、吸込口本体の側面にバンパー部の下方に位置して外周に突出する突出部とを備えた吸込口体において、突出部は、起毛部材によって形成されると共に吸込口本体の底面にまで延在され、バンパー部の側面が壁面に当接した際に該壁面と吸込口本体との間に形成される側部風路の後部を閉塞することを特徴としている。
【００１５】
また、請求項２に係る発明は、請求項１に記載の吸込口体を有している電気掃除機を特徴としている。
【００１６】
【発明の実施の形態】
以下、図面に基づいてこの発明の実施の形態を説明する。
【００１７】
図１に示す電気掃除機２０は、掃除機本体２１を有している。この掃除機本体２１の内部には、前側に集塵室２２が形成され、後側に電動送風機２３が配設されている。この電動送風機２３の図示しない吸込口は集塵室２２に連通しており、集塵室２２内に配設された集塵袋２２ａに吸込負圧を作用させる。また、集塵室２２の前部は掃除機本体２１に形成された接続口２１ａに連通している。この接続口２１ａには吸込ホース２４の一端が着脱自在に接続されている。そして、吸込ホース２４の他端には手元操作管２４ａが設けられると共に、延長管２５、２６を介して吸込口体３０が接続されている。
【００１８】
＜吸込口体３０＞
図２ないし図４に示す吸込口体３０は、吸込口本体３１と、バンパー部３２と、接続管３３とを有している。
【００１９】
吸込口本体３１は、ここでは、上ケース３１１と、下ケース３１２と、蓋体３１３とを備えている（図２参照）。上ケース３１１及び下ケース３１２は互いの凸面が外側を向いた状態で逢着されている。そして、この上ケース３１１と下ケース３１２との内側には吸込室４０（図５参照）が形成されている。また、蓋体３１３は上ケース３１１に形成された開口４１（図５参照）を覆うように、上ケース３１１に取り付けられている。そして、図７に示すように、下ケース３１２の底面３１２ｃには底面吸込開口３１４が形成されて、吸込室４０内に配設された回転清掃体３１５が臨んでいる。また、この下ケース３１２の底面３１２ｃには、取付開口３１６ａに出没自在に設けられた第一車輪３１６と、接続管３３の両側に設けられた一対の第二車輪３１７、３１７とが備えられている。この第一車輪３１６及び一対の第二車輪３１７、３１７によって、下ケース３１２の底面３１２ｃは被清掃面Ｇとの間に僅かな間隙を開けて支持されている。
【００２０】
さらに、下ケース３１２の前面３１２ａには下側が凹面になった段差が形成され、その凹面に２つの前面吸込開口３１８、３１８が形成されている。この前面吸込開口３１８、３１８は吸込口本体３１の左右方向に延びており、吸込室４０に連通している。
【００２１】
バンパー部３２は、上ケース３１３と下ケース３１２との間に挟持されて、吸込口本体３１の上下方向の中間部から外周に突出して設けられている。また、このバンパー部３２は吸込口本体３１の前面３１ａ及び両側面３１ｂ、３１ｂに一体に延在されている（図２及び図３参照）。ここで、吸込口本体３１の前面３１ａと両側面３１ｂ、３１ｂとはそれぞれ直交している。そして、このバンパー部３２は合成樹脂や硬質ゴム等で形成されている。
【００２２】
また、吸込口本体３１の両側面３１ｂ、３１ｂ側に延びているバンパー部３２の下側には、それぞれ突出部３４が設けられている。この突出部３４は、吸込口本体３１の下ケース３１２の側面３１２ｂ、３１２ｂにそれぞれ密着して形成されており、ここでは合成樹脂や硬質ゴム等が接着剤等によって貼り付けられている。また、この突出部３４はバンパー部３２の下端から下ケース３１２の側面３１２ｂの下端まで延びている。そして、この突出部３４の厚みはバンパー部３２が吸込口本体３１から突出した厚みと同じ厚みに形成されている（図６参照）。なお、ここで、突出部３４はバンパー部３２の下端の前後方向の一部に沿って設けられているが、吸込口本体３１の両側面３１ｂ、３１ｂ側に延びているバンパー部３２の下端全面に沿って設けられてもよい。
【００２３】
接続管３３は、一端が吸込口本体３１の後部に設けられ、他端が図１に示す延長管２６の先端に接続されている。なお、この接続管３３は吸込口本体３１に対して相対的に回転自在に設けられている。
【００２４】
このような吸込口体３０を有する電気掃除機２０を使用するには、図示しないスイッチを入れて電動送風機２３を駆動させ、集塵室２２に吸込負圧を作用させる。集塵室２３に作用した吸込負圧は吸込ホース２４、延長管２５、２６を介して吸込口体３０に作用する。
【００２５】
この吸込口体３０に作用した吸込負圧は、図５に示すように、接続管３３及び、この接続管３３と吸込室４０とを連通させるように吸込口本体３１内に配設された連通管４２を通って吸込室４０に作用する。吸込室４０に作用した吸込負圧は、底面吸込開口３１４及び前面吸込開口３１８を介して、被清掃面Ｇ上の塵埃をエアと共に吸い込む。吸込室４０内に吸い込まれたエア及び塵埃は連通管４２、接続管３３、延長管２６、２５、吸込ホース２４を順に通って集塵袋２２ａに流入する。
【００２６】
手元操作管２４ａを操作して吸込口体３０を前方に押していくと、この電気掃除機２０は、まず前面吸込開口３１８から塵埃を吸い込んでいく。そして、この電気掃除機２０は前面吸込開口３１８では吸い込みきれなかった塵埃や絨毯等に絡まった塵埃を底面吸込開口３１４から吸い込んでいく。なお、このとき、回転清掃体３１５は吸い込まれるエアと、前進する吸込口本体３１とによって回転させられ、被清掃面Ｇ上の塵埃を掻き揚げる。
【００２７】
また、図３に示すように、吸込口体３０のどちらか一方の側面３１ｂが第二壁Ｂに押し付けられた状態でこの吸込口体３０が前進すると、バンパー部３２の側端面３２ｂが第二壁Ｂに接触した状態のまま前進することになる。このとき、バンパー部３２の側端面３２ｂが吸込口本体３１の側面３１ｂから突出しているため、第二壁Ｂと吸込口本体３１の下ケース３１２の側面３１２ｂとの間に間隙が生じ、側部風路５１が形成される。この側部風路５１は、バンパー部３２の側端面３２ｂに沿って形成されている。このとき、側部風路５１の前部は開放しており、後部は下ケース３１２の側面３１２ｂに密着して形成された突出部３４によって閉塞されている。そして、第二壁Ｂ際の塵埃は、吸込口体３０の前進に伴って突出部３４によって前方に押されながら、側部風路５１内に蓄積していく。なお、側部風路５１から底面吸込開口３１４に直接吸い込まれる塵埃もある。
【００２８】
吸込口体３０をさらに前進させていき、図２に示すように、第二壁Ｂと直交する第一壁Ａに吸込口本体３１の前面３１ａが押し付けられると、バンパー部３２の前端面３２ａが第一壁Ａに接触する。このとき、吸込口本体３１の下ケース３１２の前面３１２ａには下側が凹面になった段差が形成されているため、第一壁Ａと下ケース３１２の前面３１２ａの下側との間に間隙が生じ、前側風路５０が形成される。この前側風路５０は、下ケース３１２の前面３１２ａに形成された段差に沿って形成され、吸込口本体３１の両側面３１ｂ、３１ｂにまで延びている。また、この前側風路５０は、下ケース３１２の前面３１２ａに形成された前面吸込開口３１８に連通している。
【００２９】
そして、第一壁Ａに吸込口本体３１の前面３１ａが押し付けられ、その状態で第二壁Ｂに吸込口本体３１ｂが押し付けられると、第二壁Ｂと吸込口本体３１の下ケース３１２の側面３１２ｂとの間に形成された側部風路５１の前部が吸込口本体３１の両側面３１ｂ、３１ｂにまで延びた前側風路５０の側部と連通する。なお、このとき、前側風路５０と側部風路５１との連通部位は吸込口本体３１の角部である。
【００３０】
この状態で吸込負圧が作用すると、前側風路５０内には十分な吸込負圧が作用する。そして、この吸込負圧は第一壁Ａ際の塵埃をエアと共に前面吸込開口３１８を介して吸込口本体３１内の吸込室４０に吸い込んでいく。また、後部が突出部３４によって閉塞され、前部が前側風路５０の側部に連通した側部風路５１内にも吸込負圧が作用する。この吸込負圧は第二壁Ｂ際の塵埃を前側風路５０側に吸い込んでいく。なお、第一壁Ａと第二壁Ｂとの直交した角部に蓄積された塵埃も、前側風路５０及び側部風路５１内に十分に作用する吸込負圧によって確実に除去することができる。ここでは、吸込口本体３１の前面３１ａと両側面３１ｂ、３１ｂとがほぼ直交しているので、さらに第一壁Ａと第二壁Ｂとの角部に蓄積された塵埃を除去しやすくなっている。
【００３１】
さらに、第二壁Ｂ際の塵埃は、吸込口体３０の前進に伴ってあらかじめ側部風路５１内に蓄積されているので、側部風路５１と前側風路５０とが連通した状態になるだけで、第二壁Ｂ際の塵埃をすべて除去することが可能になる。特に、被清掃面Ｇがじゅうたんの場合では第一車輪３１６及び第二車輪３１７、３１７がじゅうたんに沈み込んで、側部風路５１内から底面吸込開口３１４に塵埃が直接吸い込まれることはないが、第二壁Ｂ際の塵埃を確実に除去することができる。よって、第二壁Ｂ際だけを後から清掃する必要がなくなり、手間がかからずに容易に壁際を清掃することが可能となる。
【００３２】
また、突出部３４は起毛部材によって形成されてもよい。この場合では、突出部３４が第二壁Ｂに接触した際に、この第二壁Ｂに傷をつけてしまうことが防止される。そして、突出部２４で第二壁Ｂ際の塵埃を除去すると共に、第二壁Ｂを清掃することも可能となる。
【００３３】
さらに、この突出部３４はバンパー部３２の一部を吸込口本体３１の下ケース３１２の下端にまで延在することにより形成してもよい。この場合では、バンパー部３２の成形と同時に、バンパー部３２と一体に突出部３４を形成することができて、吸込口体３０の製造を容易に行うことができる。
【００３４】
そして、図６に示すように、突出部３４´が吸込口本体３１の下ケース３１２の底面３１２ｃにまで延在されて形成されてもよい。この場合では、吸込口本体３１が前進した際に、吸込口本体３１の前側が僅かに浮いたとしても側部風路５１の閉塞性が向上する。よって、第二壁Ｂ際の塵埃を確実に蓄積しながら前方に移動させることが可能となる。また、前側風路５０と側部風路５１とが連通した際には、この両風路５０、５１の気密性がさらに良くなって、互いに直交する壁の角部に蓄積した塵埃をさらに確実に吸い込むことができる。
【００３５】
【発明の効果】
以上説明してきたように、本発明によれば、壁際の塵埃を容易に吸い込むことができると共に、互いに直交する壁同士の角部に蓄積された塵埃も確実に除去することが可能な吸込口体と、この吸込口体を有する電気掃除機を提供することができる。
【図面の簡単な説明】
【図１】本発明に係る吸込口体を有する電気掃除機の全体斜視図である。
【図２】本発明に係る吸込口体の側面図である。
【図３】本発明に係る吸込口体の正面図である。
【図４】本発明に係る吸込口体の裏面を上方に向けた場合の斜視図である。
【図５】本発明に係る吸込口体内の吸込負圧の流れを示した断面図である。
【図６】本発明に係る吸込口体の他の実施例を示した説明斜視図である。
【図７】従来の吸込口体を備えた電気掃除機の全体斜視図である。
【図８】従来の吸込口体の側面図である。
【図９】従来の吸込口体の正面図である。
【符号の説明】
２０        電気掃除機
２１        掃除機本体
２２        集塵室
２３        電動送風機
２４        吸込ホース
３０        吸込口体
３１        吸込口本体
３１ａ      吸込口本体の前面
３１ｂ      吸込口本体の側面
３１８      前面吸込開口
３２        バンパー部
３４        突出部
５０        前面風路
５１        側部風路
Ａ          第一壁
Ｂ          第二壁
【図１】
0003962247.tif 000002
【図２】
0003962247.tif 000003
【図３】
0003962247.tif 000004
【図４】
0003962247.tif 000005
【図５】
0003962247.tif 000006
【図６】
0003962247.tif 000007
【図７】
0003962247.tif 000008
【図８】
0003962247.tif 000009
【図９】
0003962247.tif 000010